(57)【要約】【課題】廃棄ルールに従った所定の回収場所への廃棄をユーザに促すことができ、製品のトレーサビリティ情報を容易かつ安価に取得可能な回収物情報管理装置、回収物情報管理プログラム及び回収物情報管理方法を提供することを目的とする。【解決手段】回収物情報管理装置１であって、ユーザ端末２との間でデータ通信を行う通信手段と、廃棄した回収物に付与されている回収物情報および回収物を廃棄した回収場所に付与されている回収場所情報を、ユーザ端末２から取得する情報取得手段と、回収物情報と回収場所情報との正当性のある組み合わせを表した照合テーブルを用いて、ユーザ端末２から取得した回収物情報および回収場所情報の組み合わせの正当性チェックを行う正当性チェック手段と、正当性のあった回収物情報および回収場所情報を登録テーブルに登録する情報登録手段とを有することにより上記課題を解決する。【選択図】図１
2008186390.tif 000002
【特許請求の範囲】
【請求項１】
回収場所に廃棄された回収物の情報を管理する回収物情報管理装置であって、
ユーザ端末との間でデータ通信を行う通信手段と、
廃棄した回収物に付与されている回収物情報および前記回収物を廃棄した回収場所に付与されている回収場所情報を、前記ユーザ端末から前記通信手段経由で取得する情報取得手段と、
前記回収物情報と回収場所情報との正当性のある組み合わせを表した照合テーブルを用いて、前記ユーザ端末から取得した回収物情報および回収場所情報の組み合わせの正当性チェックを行う正当性チェック手段と、
前記正当性チェック手段による正当性チェックにより正当性のあった前記回収物情報および回収場所情報を登録テーブルに登録する情報登録手段と
を有することを特徴とする回収物情報管理装置。
【請求項２】
正当性のあった前記回収物情報および回収場所情報を登録テーブルに登録する前に前記回収物情報が登録テーブルに登録済みでないかをチェックして、前記登録テーブルへの二重登録を防止する二重登録防止チェック手段を更に有する請求項１記載の回収物情報管理装置。
【請求項３】
正当性のあった前記回収物情報および回収場所情報を登録テーブルに登録した後、前記ユーザ端末から回収物情報および回収場所情報を送信したユーザを前記ユーザ端末から前記通信手段経由で取得したユーザ識別情報により特定し、ユーザとポイントとが関連づけられている特典加算テーブルに、特定したユーザのポイントを加算する加算手段を更に有する請求項２記載の回収物情報管理装置。
【請求項４】
正当性のあった前記回収物情報および回収場所情報より前記回収場所ごとの回収物数量を集計することを特徴とする請求項２記載の回収物情報管理装置。
【請求項５】
前記回収物情報および回収場所情報は前記回収物および回収場所にステガノグラフィ技術により印刷されていることを特徴とする請求項４記載の回収物情報管理装置。
【請求項６】
回収場所に廃棄された回収物の情報を管理する、記憶装置、演算処理装置を含んだコンピュータにおいて実行される回収物情報管理プログラムであって、
前記演算処理装置に、
廃棄した回収物に付与されている回収物情報および前記回収物を廃棄した回収場所に付与されている回収場所情報を、ユーザ端末との間でデータ通信を行う通信手段経由で前記ユーザ端末から取得する情報取得ステップと、
前記回収物情報と回収場所情報との正当性のある組み合わせを表した前記記憶装置に記憶されている照合テーブルを用いて、前記ユーザ端末から取得した回収物情報および回収場所情報の組み合わせの正当性チェックを行う正当性チェックステップと、
正当性チェックにより正当性のあった前記回収物情報および回収場所情報を前記記憶装置に記憶されている登録テーブルに登録する情報登録ステップと
を実行させる回収物情報管理プログラム。
【請求項７】
回収場所に廃棄された回収物の情報を管理する回収物情報管理装置において行われる回収物情報管理方法であって、
前記回収物情報管理装置が、
廃棄した回収物に付与されている回収物情報および前記回収物を廃棄した回収場所に付与されている回収場所情報を、ユーザ端末との間でデータ通信を行う通信手段経由で前記ユーザ端末から取得する情報取得ステップと、
前記回収物情報と回収場所情報との正当性のある組み合わせを表した照合テーブルを用いて、前記ユーザ端末から取得した回収物情報および回収場所情報の組み合わせの正当性チェックを行う正当性チェックステップと、
正当性チェックにより正当性のあった前記回収物情報および回収場所情報を登録テーブルに登録する情報登録ステップと
を行う回収物情報管理方法。
【発明の詳細な説明】
【技術分野】
【０００１】
本発明は、回収物情報管理装置、回収物情報管理プログラム及び回収物情報管理方法に係り、特に回収場所に廃棄された回収物の情報を管理する回収物情報管理装置、回収物情報管理プログラム及び回収物情報管理方法に関する。
【背景技術】
【０００２】
近年、資源を保護し、廃棄物を適正に処理するため、例えばニカド電池，トナーカートリッジ，ビン，缶などの一部の製品には、所定の廃棄ルールに従った所定の回収場所への廃棄が求められているものがある。従来、企業等は、このような製品のトレーサビリティ情報の取得をＲＦＩＤタグやＧＰＳ装置の使用により行っていた。
【０００３】
また、特許文献１には廃棄物や、その収集運搬車両に対し、二次元バーコードやＯＣＲ技術等により廃棄物の位置情報及び時間情報、車両情報やマニフェスト情報等を認識・検証し、監視・管理できるシステムが記載されている。
【特許文献１】特開２００５−１８２５０２号公報
【発明の開示】
【発明が解決しようとする課題】
【０００４】
しかしながら、所定の廃棄ルールに従った所定の回収場所への廃棄が求められている製品のトレーサビリティ情報を、ＲＦＩＤタグを使用して取得する場合は回収後の製品（回収物）からＲＦＩＤタグを分別する必要があるという問題があった。同様に、ＧＰＳ装置を使用する場合はコスト、電源の問題があった。
【０００５】
企業等は所定の廃棄ルールに従った所定の回収場所への廃棄をユーザに促しつつ、製品のトレーサビリティ情報を取得することを所望していた。なお、特許文献１に記載されているシステムでは、ユーザに所定の廃棄ルールに従った所定の回収場所への廃棄を促すことができないという問題があった。
【０００６】
本発明は、上記の点に鑑みなされたもので、廃棄ルールに従った所定の回収場所への廃棄をユーザに促すことができ、製品のトレーサビリティ情報を容易かつ安価に取得可能な回収物情報管理装置、回収物情報管理プログラム及び回収物情報管理方法を提供することを目的とする。
【課題を解決するための手段】
【０００７】
上記課題を解決する為、本発明は回収場所に廃棄された回収物の情報を管理する回収物情報管理装置であって、ユーザ端末との間でデータ通信を行う通信手段と、廃棄した回収物に付与されている回収物情報および前記回収物を廃棄した回収場所に付与されている回収場所情報を、前記ユーザ端末から前記通信手段経由で取得する情報取得手段と、前記回収物情報と回収場所情報との正当性のある組み合わせを表した照合テーブルを用いて、前記ユーザ端末から取得した回収物情報および回収場所情報の組み合わせの正当性チェックを行う正当性チェック手段と、前記正当性チェック手段による正当性チェックにより正当性のあった前記回収物情報および回収場所情報を登録テーブルに登録する情報登録手段とを有することを特徴とする。
【０００８】
本発明は正当性のあった前記回収物情報および回収場所情報を登録テーブルに登録する前に前記回収物情報が登録テーブルに登録済みでないかをチェックして、前記登録テーブルへの二重登録を防止する二重登録防止チェック手段を更に有するようにしてもよい。
【０００９】
本発明は正当性のあった前記回収物情報および回収場所情報を登録テーブルに登録した後、前記ユーザ端末から回収物情報および回収場所情報を送信したユーザを前記ユーザ端末から前記通信手段経由で取得したユーザ識別情報により特定し、ユーザとポイントとが関連づけられている特典加算テーブルに、特定したユーザのポイントを加算する加算手段を更に有するようにしてもよい。
【００１０】
本発明は前記回収物情報および回収場所情報は前記回収物および回収場所に前記ユーザ端末から読み取り可能に付与されていることを特徴としてもよい。
【００１１】
本発明は前記回収物情報および回収場所情報は前記回収物および回収場所にステガノグラフィ技術により印刷されていることを特徴としてもよい。
【００１２】
なお、本発明の構成要素、表現または構成要素の任意の組合せを、方法、装置、システム、コンピュータプログラム、記録媒体、データ構造などに適用したものも本発明の態様として有効である。
【発明の効果】
【００１３】
上述の如く、本発明によれば、廃棄ルールに従った所定の回収場所への廃棄をユーザに促すことができ、製品のトレーサビリティ情報を容易かつ安価に取得可能な回収物情報管理装置、回収物情報管理プログラム及び回収物情報管理方法を提供可能である。
【発明を実施するための最良の形態】
【００１４】
次に、本発明を実施するための最良の形態を、以下の実施例に基づき図面を参照しつつ説明していく。
【００１５】
図１は、本発明の回収物情報管理装置を含むシステムの一実施例の構成図である。図１のシステムは、回収物情報管理装置１及びユーザ端末２が、インターネットなどのネットワーク３を介してデータ通信可能に接続されている。ユーザ端末２は製品４を回収箱５に廃棄するユーザが操作するものである。製品４は所定の廃棄ルールに従った所定の回収場所への廃棄が求められている回収物の一例である。回収箱５は所定の廃棄ルールに従って製品４を廃棄する回収場所の一例である。
【００１６】
製品４には、後述する回収物情報６が貼付されている。また、回収箱５には後述する回収箱情報７が貼付されている。回収物情報６及び回収箱情報７は、ユーザ端末２によって読み取り可能であればよい。例えば回収物情報６及び回収箱情報７は、二次元コード，画像パターンマッチング，ステガノグラフィ等の技術によって表すことができる。
【００１７】
ここで言うステガノグラフィの技術とは、印刷画像に人間の目で識別し難い形でデータを埋め込む技術（以下、ステガノ印刷という）である。具体的に、ステガノ印刷は人間の目に判りにくい黄色の濃淡を活用してコード（以下、ステガノコードという）を埋め込む技術である。ステガノ印刷は、他のコードと比べて製品のデザイン性を損ねないという効果がある。また、ステガノ印刷は画像パターンマッチングと比較して処理負担が小さいという効果もある。なお、ステガノ印刷は画像の劣化が目立たないので人物や商品等、実写画像にも適用が可能である。
【００１８】
ユーザ端末２はユーザの操作により、製品４から回収物情報６を読み取ると共に、回収箱５から回収箱情報７を読み取る。例えば回収物情報６及び回収箱情報７がステガノ印刷により表されている場合、ユーザ端末２はカメラにより回収物情報６及び回収箱情報７を読み取る。
【００１９】
ユーザ端末２は、製品４から読み取った回収物情報６及び回収箱５から読み取った回収箱情報７を、発信者情報と共に回収物情報管理装置１に送信する。回収物情報管理装置１はユーザ端末２から受信した回収物情報６，回収箱情報７及び発信者情報を用いて、回収箱５に廃棄された製品４の情報を後述するように管理する。
【００２０】
図２は、回収物情報管理装置の一例のハードウェア構成図である。回収物情報管理装置１は、それぞれバスＢで相互に接続されている入力装置２１，出力装置２２，ドライブ装置２３，補助記憶装置２４，メモリ装置２５，演算処理装置２６およびインターフェース装置２７で構成される。
【００２１】
入力装置２１はキーボードやマウスなどで構成され、各種信号を入力するために用いられる。出力装置２２はディスプレイ装置などで構成され、各種ウインドウやデータ等を表示するために用いられる。インターフェース装置２７は、モデム，ＬＡＮカードなどで構成されており、ネットワーク３に接続する為に用いられる。
【００２２】
本発明の回収物情報管理プログラムは、回収物情報管理装置１を制御する各種プログラムの少なくとも一部である。回収物情報管理プログラムは、例えば記録媒体２８の配布やネットワーク３からのダウンロードなどによって提供される。回収物情報管理プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２３】
また、回収物情報管理プログラムを記録した記録媒体２８がドライブ装置２３にセットされると、回収物情報管理プログラムは記録媒体２８からドライブ装置２３を介して補助記憶装置２４にインストールされる。ネットワーク３からダウンロードされた回収物情報管理プログラムは、インターフェース装置２７を介して補助記憶装置２４にインストールされる。
【００２４】
回収物情報管理装置１は、インストールされた回収物情報管理プログラムを格納すると共に、必要なファイル，データ等を格納する。メモリ装置２５は、起動時に補助記憶装置２４から回収物情報管理プログラムを読み出して格納する。そして、演算処理装置２６はメモリ装置２５に格納された回収物情報管理プログラムに従って、後述するような各種処理を実現している。
【００２５】
図３は回収物情報管理装置の一例の処理ブロック図である。図３の回収物情報管理装置１は、通信部３１，情報取得部３２，正当性チェック部３３，情報登録部３４，二重登録防止チェック部３５，加算部３６，回収箱位置情報テーブル３７，回収物登録テーブル３８，製品情報テーブル３９，特典加算テーブル４０，トレーサビリティ情報テーブル４１を含む構成である。
【００２６】
通信部３１はネットワーク３を介してユーザ端末２との間でデータ通信を行う。情報取得部３２はユーザ端末２から通信部３１経由で回収物情報６，回収箱情報７及び発信者情報を取得する。正当性チェック部３３はユーザ端末２から取得した回収物情報６及び回収箱情報７の組み合わせの正当性チェックを後述のように行う。
【００２７】
情報登録部３４は正当性チェックにより正当性のあった回収物情報６及び回収箱情報７と発信者情報とを回収物登録テーブル３８に登録する。二重登録防止チェック部３５は正当性チェックにより正当性のあった回収物情報６及び回収箱情報７と発信者情報とを回収物登録テーブル３８に登録する前に、回収物情報６が回収物登録テーブル３８に登録済みでないかをチェックして、回収物登録テーブル３８への二重登録を防止する。
【００２８】
正当性のあった回収物情報６及び回収箱情報７と発信者情報とを回収物登録テーブル３８に登録した後、加算部３６は発信者情報により特定したユーザへのポイント（特典ポイント）を特典加算テーブル４０に加算する。
【００２９】
回収箱位置情報テーブル３７は、回収箱情報７，回収箱５が回収する製品の製品コード及び回収箱５が設置されている住所を関連付けるものである。回収物登録テーブル３８はユーザ端末２から取得した回収物情報６，回収箱情報７及び発信者情報のうち、正当性があり、二重登録でないものを関連付けて登録するものである。
【００３０】
製品情報テーブル３９は、製品に関する情報を表すものである。特典加算テーブル４０はユーザに付与されたポイントをユーザと関連付けて管理するものである。トレーサビリティ情報テーブル４１は、回収箱位置情報テーブル３７及び回収物登録テーブル３８から生成される後述のトレーサビリティ情報を登録するものである。なお、回収物情報管理装置１は、正当性チェックにより正当性のあった回収物情報６及び回収箱情報７から回収箱５ごとの回収物数量を集計することもできる。
【００３１】
図４は、ユーザ端末の一例の処理ブロック図である。図４のユーザ端末２は、通信部５１，情報読み取り部５２，デコード部５３，メール処理部５４，登録発信者情報５５を含む構成である。
【００３２】
通信部５１は、ネットワーク３を介して回収物情報管理装置１との間でデータ通信を行う。情報読み取り部５２は、製品４から回収物情報６を読み取ると共に、回収箱５から回収箱情報７を読み取る。デコード部５３は回収物情報６及び回収箱情報７がエンコードされているときにデコードする。メール処理部５４は電子メールに関する処理を行う。登録発信者情報５５は予め登録されているユーザ及びユーザ端末２に関する情報を表すものである。
【００３３】
以下の実施例１では、ステガノ印刷により製品４及び回収箱５に回収物情報６及び回収箱情報７を貼付する例を説明するが、ステガノ印刷に限定するものでなく、ユーザ端末２によって読み取り可能であれば如何なる形態であっても良い。
【実施例１】
【００３４】
まず、図１を参照しつつ、ユーザ端末２の処理について説明する。製品（廃棄物）４にはステガノ印刷された回収物情報６が貼付されている。図５は回収物情報の一例の構成図である。回収物情報６は、製品コード，製品識別ＮＯ（ナンバー）から構成される。回収物情報６は１０進１２桁のステガノコードにより表されている。
【００３５】
回収箱（ゴミ箱）５にはステガノ印刷された回収箱情報７が貼付されている。図６は回収箱情報の一例の構成図である。回収箱情報７は、回収箱識別ＮＯから構成される。回収箱情報７は１０進１２桁のステガノコードにより表されている。
【００３６】
ユーザは、ユーザ端末２を操作し、製品４の回収物情報６及び回収箱５の回収箱情報７を撮影する。ユーザ端末２の情報読み取り部５２はユーザの操作により、製品４の回収物情報６及び回収箱５の回収箱情報７を撮影する。デコード部５３はデコードにより、撮影した画像から製品４の回収物情報６及び回収箱５の回収箱情報７を取得する。
【００３７】
通信部５１は、製品４の回収物情報６及び回収箱５の回収箱情報７を、発信者情報と共に回収物情報管理装置１へ送信する。図７は発信者情報の一例の構成図である。発信者情報は、発信者番号，発信日時，機番，メールアドレスから構成される。発信者情報は、登録発信者情報５５に発信日時を付加したものである。
【００３８】
図８は回収物情報管理装置の処理を表した一例のフローチャートである。ステップＳ１に進み、回収物情報管理装置１の情報取得部３２はユーザ端末２から通信部３１経由で回収物情報６，回収箱情報７及び発信者情報を受信する。
【００３９】
ステップＳ２に進み、正当性チェック部３３は受信した回収物情報６及び回収箱情報７における製品コード及び回収箱識別ＮＯをもとに、回収箱（廃棄場所）５の正当性を確認する。具体的に、正当性チェック部３３は製品コード及び回収箱識別ＮＯをキーとして回収箱位置情報テーブル３７を検索する。
【００４０】
図９は回収箱位置情報テーブルの一例の構成図である。図９の回収箱位置情報テーブル３７は、回収箱識別ＮＯ，製品コード，住所から構成される。正当性チェック部３３は受信した回収物情報６及び回収箱情報７における製品コード及び回収箱識別ＮＯの組み合わせと一致するものが回収箱位置情報テーブル３７に存在するか否かによって製品４が正当な回収場所である回収箱５に廃棄されているか判定する。
【００４１】
受信した回収物情報６及び回収箱情報７における製品コード及び回収箱識別ＮＯの組み合わせと一致するものが回収箱位置情報テーブル３７に存在すれば（ステップＳ３においてＹＥＳ）、二重登録防止チェック部３５はステップＳ４に進む。
【００４２】
ステップＳ４に進み、二重登録防止チェック部３５は受信した回収物情報６における製品コード及び製品識別ＮＯをもとに、製品４が既に回収物登録テーブル３８に登録されていないかを確認する。図１０は回収物登録テーブルの一例の構成図である。図１０の回収物登録テーブル３８は、回収箱識別ＮＯ，製品コード，製品識別ＮＯ，発信者番号，発信日時，機番，メールアドレスから構成される。
【００４３】
ステップＳ５に進み、二重登録防止チェック部３５は製品４が回収物登録テーブル３８に登録されていなければ（ステップＳ５においてＮＯ）、ステップＳ６に進む。ステップＳ６に進み、情報登録部３４は受信した回収物情報６，回収箱情報７及び発信者情報を回収物登録テーブル３８に登録する。
【００４４】
そして、ステップＳ７に進み、加算部３６は発信者情報における発信者番号でユーザを特定し、特定したユーザへのポイントを特典加算テーブル４０に加算する。図１１は特典加算テーブルの一例の構成図である。図１１の特典加算テーブル４０は発信者番号，特典ポイントから構成される。この特典ポイントは、割引サービスなどの特典に利用されるものである。
【００４５】
なお、受信した回収物情報６及び回収箱情報７における製品コード及び回収箱識別ＮＯの組み合わせと一致するものが回収箱位置情報テーブル３７に存在しなければ（ステップＳ３においてＮＯ）、正当性チェック部３３はステップＳ８に進み、図７の発信者情報におけるメールアドレスに回収（廃棄）場所が正当でない旨のメールを送信する。
【００４６】
また、製品４が回収物登録テーブル３８に登録されていれば（ステップＳ５においてＹＥＳ）、二重登録防止チェック部３５はステップＳ９に進み、発信者情報におけるメールアドレスに、既に登録済みである旨のメールを送信する。
【００４７】
回収物情報管理装置１は、回収箱情報７を添付した回収箱５の情報と、その回収箱５が設置されている情報とを関連付けて予め登録しておくことにより、その回収場所情報７をユーザ端末２により読み取ったユーザの位置を判定できる。
【００４８】
また、回収される製品４に回収物情報６を貼付すると共に、回収する回収箱５に回収箱情報７を貼付しておくことで、その回収物情報６及び回収箱情報７をユーザ端末２により読み取って、製品４の位置情報を回収物登録テーブル３８に蓄積できる。
【００４９】
例えば回収物登録テーブル３８に蓄積した情報は、製品識別ＮＯ，発信日時，住所をもとに、時系列で分析することによりトレーサビリティ情報として活用できる。図１２はトレーサビリティ情報の一例の構成図である。図１２のトレーサビリティ情報は、回収箱識別ＮＯ，製品コード，製品識別ＮＯ，発信者番号，発信日時，住所から構成される。
【００５０】
なお、図１３の製品情報テーブル３９を利用すれば、トレーサビリティ情報４１の項目には製品名およびメーカー名を追加できる。図１３は、製品情報テーブルの一例の構成図である。図１３の製品情報テーブル３９は、製品コード，製品名，メーカー名から構成される。トレーサビリティ情報４１は、例えば製品４のメーカーにフィードバックすることができる。
【００５１】
上記したように、本願発明ではユーザ端末２により情報を読み取ったユーザの位置を判定することができる。ユーザ端末２により情報を読み取ったユーザの位置を判定できるという特徴は、例えば以下の様に利用することもできる。
【００５２】
まず、交通標識などにステガノ印刷により位置データを持たせておく。また、ユーザ端末２の一例としての携帯電話に解析用プログラムをインストールしておく。例えば災害時や道に迷った場合に、ユーザは携帯電話のカメラ機能で交通標識を写す。すると、携帯電話の解析用プログラムはステガノ印刷から位置データを取得し、地図データをもとに現在位置から避難場所や家までの道順をユーザに提示できる。なお、地図データは、必要となる度にサーバ等からダウンロードしてもよいし、予めダウンロード済みのものを利用してもよい。
【００５３】
本発明は、以下に記載する付記のような構成が考えられる。
（付記１）
回収場所に廃棄された回収物の情報を管理する回収物情報管理装置であって、
ユーザ端末との間でデータ通信を行う通信手段と、
廃棄した回収物に付与されている回収物情報および前記回収物を廃棄した回収場所に付与されている回収場所情報を、前記ユーザ端末から前記通信手段経由で取得する情報取得手段と、
前記回収物情報と回収場所情報との正当性のある組み合わせを表した照合テーブルを用いて、前記ユーザ端末から取得した回収物情報および回収場所情報の組み合わせの正当性チェックを行う正当性チェック手段と、
前記正当性チェック手段による正当性チェックにより正当性のあった前記回収物情報および回収場所情報を登録テーブルに登録する情報登録手段と
を有することを特徴とする回収物情報管理装置。
（付記２）
正当性のあった前記回収物情報および回収場所情報を登録テーブルに登録する前に前記回収物情報が登録テーブルに登録済みでないかをチェックして、前記登録テーブルへの二重登録を防止する二重登録防止チェック手段を更に有する付記１記載の回収物情報管理装置。
（付記３）
正当性のあった前記回収物情報および回収場所情報を登録テーブルに登録した後、前記ユーザ端末から回収物情報および回収場所情報を送信したユーザを前記ユーザ端末から前記通信手段経由で取得したユーザ識別情報により特定し、ユーザとポイントとが関連づけられている特典加算テーブルに、特定したユーザのポイントを加算する加算手段を更に有する付記２記載の回収物情報管理装置。
（付記４）
正当性のあった前記回収物情報および回収場所情報より前記回収場所ごとの回収物数量を集計することを特徴とする付記２記載の回収物情報管理装置。
（付記５）
前記回収物情報および回収場所情報は前記回収物および回収場所にステガノグラフィ技術により印刷されていることを特徴とする付記４記載の回収物情報管理装置。
（付記６）
回収場所に廃棄された回収物の情報を管理する、記憶装置、演算処理装置を含んだコンピュータにおいて実行される回収物情報管理プログラムであって、
前記演算処理装置に、
廃棄した回収物に付与されている回収物情報および前記回収物を廃棄した回収場所に付与されている回収場所情報を、ユーザ端末との間でデータ通信を行う通信手段経由で前記ユーザ端末から取得する情報取得ステップと、
前記回収物情報と回収場所情報との正当性のある組み合わせを表した前記記憶装置に記憶されている照合テーブルを用いて、前記ユーザ端末から取得した回収物情報および回収場所情報の組み合わせの正当性チェックを行う正当性チェックステップと、
正当性チェックにより正当性のあった前記回収物情報および回収場所情報を前記記憶装置に記憶されている登録テーブルに登録する情報登録ステップと
を実行させる回収物情報管理プログラム。
（付記７）
回収場所に廃棄された回収物の情報を管理する回収物情報管理装置において行われる回収物情報管理方法であって、
前記回収物情報管理装置が、
廃棄した回収物に付与されている回収物情報および前記回収物を廃棄した回収場所に付与されている回収場所情報を、ユーザ端末との間でデータ通信を行う通信手段経由で前記ユーザ端末から取得する情報取得ステップと、
前記回収物情報と回収場所情報との正当性のある組み合わせを表した照合テーブルを用いて、前記ユーザ端末から取得した回収物情報および回収場所情報の組み合わせの正当性チェックを行う正当性チェックステップと、
正当性チェックにより正当性のあった前記回収物情報および回収場所情報を登録テーブルに登録する情報登録ステップと
を行う回収物情報管理方法。
【００５４】
本発明は、具体的に開示された実施例に限定されるものではなく、特許請求の範囲から逸脱することなく、種々の変形や変更が可能である。
【図面の簡単な説明】
【００５５】
【図１】本発明の回収物情報管理装置を含むシステムの一実施例の構成図である。
【図２】回収物情報管理装置の一例のハードウェア構成図である。
【図３】回収物情報管理装置の一例の処理ブロック図である。
【図４】ユーザ端末の一例の処理ブロック図である。
【図５】回収物情報の一例の構成図である。
【図６】回収箱情報の一例の構成図である。
【図７】発信者情報の一例の構成図である。
【図８】回収物情報管理装置の処理を表した一例のフローチャートである。
【図９】回収箱位置情報テーブルの一例の構成図である。
【図１０】回収物登録テーブルの一例の構成図である。
【図１１】特典加算テーブルの一例の構成図である。
【図１２】トレーサビリティ情報の一例の構成図である。
【図１３】製品情報テーブルの一例の構成図である。
【符号の説明】
【００５６】
１    回収物情報管理装置
２    ユーザ端末
３    ネットワーク
４    製品
５    回収箱
６    回収物情報
７    回収箱情報
２１    入力装置
２２    出力装置
２３    ドライブ装置
２４    補助記憶装置
２５    メモリ装置
２６    演算処理装置
２７    インターフェース装置
２８    記録媒体
３１    通信部
３２    情報取得部
３３    正当性チェック部
３４    情報登録部
３５    二重登録防止チェック部
３６    加算部
３７    回収箱位置情報テーブル
３８    回収物登録テーブル
３９    製品情報テーブル
４０    特典加算テーブル
４１    トレーサビリティ情報テーブル
５１    通信部
５２    情報読み取り部
５３    デコード部
５４    メール処理部
５５    登録発信者情報
Ｂ    バスＢ
【図１】
2008186390.tif 000003
【図２】
2008186390.tif 000004
【図３】
2008186390.tif 000005
【図４】
2008186390.tif 000006
【図５】
2008186390.tif 000007
【図６】
2008186390.tif 000008
【図７】
2008186390.tif 000009
【図８】
2008186390.tif 000010
【図９】
2008186390.tif 000011
【図１０】
2008186390.tif 000012
【図１１】
2008186390.tif 000013
【図１２】
2008186390.tif 000014
【図１３】
2008186390.tif 000015